(57)【特許請求の範囲】
【請求項１】
映像音響信号を含む第１の放送と、文字に変換し表示するための文字情報を含む第２の放送とを受信し、さらに、第１の放送の録画予約機能を有する受信装置であって、
放送された映像信号から番組識別画像を抽出する第１の抽出手段と、
第１の放送番組の開始時刻と終了時刻に関する情報を、第２の放送内容から抽出する第２の抽出手段と、
前記放送番組に関し、抽出された前記番組識別画像と、前記開始時刻、前記終了時刻とを関連付けて格納する番組情報格納手段と、
前記番組識別画像を表示するために出力する出力手段と、
前記出力手段が出力した前記番組識別画像を選択するための入力手段と、
前記入力手段を用いて選択された番組の受信を、抽出された開始時刻、終了時刻とを用いて予約する予約手段とを有することを特徴とする受信装置。
【請求項２】
前記番組情報格納手段は前記番組識別画像、前記開始時刻、前記終了時刻に関連付けて参照回数を格納し、番組情報の格納個数が限界を超えたときに参照回数の少ないものを削除することを特徴とする請求項１記載の受信装置。
【請求項３】
映像音響信号と、文字に変換し表示するための文字情報とを含む放送を受信する受信装置において、文字情報を含む番組を選局する選局装置であって、
前記文字情報を含む番組のための番組識別画像を、前記映像音響信号から抽出する抽出手段と、
抽出された前記番組識別画像を表示するために出力する出力手段と、
前記出力手段が出力した前記番組識別画像を選択するための入力手段と、
前記入力手段を用いて選択された前記番組識別画像に対応する前記文字情報を含む番組を選局する選局手段と
を有する選局装置を含む受信装置。
【請求項４】
請求項３に記載の受信装置であって、
前記抽出手段は前記映像音響信号に係わる放送番組のための番組識別画像を、前記映像音響信号から抽出し、
前記出力手段は、文字情報を含む番組のための番組識別画像と、映像音響信号に係わる番組のための番組識別画像とを混在させて出力することを特徴とする受信装置。
【発明の詳細な説明】
【０００１】
【産業上の利用分野】
本発明は、民生機器として使用されているテレビジョン受像機に関する。
【０００２】
【従来の技術】
従来のテレビジョン受像機の選局方式は、チャンネル番号を直接指定することによって行なわれていた。そのため、ユーザは自分の好みの番組になるまでチャンネル番号の指定を行なう必要があった。また  、文字放送の選局方式では、チャンネルに対応するコード番号が３桁から４桁で表現されているため非常に覚え難く、番組表と照らしあわせて選局する必要があった。
【０００３】
また、希望する番組の録画及び録画予約をする場合は、録画日時とチャンネル番号を指定する方法や、録画日時と番組識別コード（例えばＧコード）を指定する方法が採られていた。
【０００４】
これらの選局方式もしくは録画方式を改善するために、テレビの番組名や放送時間などの文字情報を文字情報の中に組み込んで放送し、その情報をテレビジョン受像機に表示する方式も提案されている（特開平２ー２１２８７９号公報、特開平９２ー３３３９０６号公報等）。
【０００５】
また、ＶＴＲ録画機に留守録された番組が複数の場合、見たい番組に到達するまでの検索時間がかかる。
【０００６】
さらに、地上波放送、衛星放送、文字放送及びケーブルＴＶなどの多チャンネル化と、ＶＴＲ，ＣＤ−Ｉ、ＬＤなどの多メディア化が進んでいるが統一した操作性はなく、放送系やメディア毎に定められた操作コマンドを使用する必要がある。
【０００７】
従来のテレビジョン受像機は、例えば図２に示すような構成をしている。図２において、１はテレビジョン受像機、２はテレビジョン映像音響信号を受信する受信手段、３は受信手段より受信した信号の選局を行なう選局手段、５は選局に関する情報や出力に関する情報を入力する入力手段、４は選局された映像音響信号を出力する出力手段、２０１から２０４は制御信号、コマンド、データ等を示す信号線であって、以下の動作により、番組選択を行なっている。
【０００８】
まず、入力手段５よりチャンネル番号が入力されると、入力手段４は制御信号２０３を選局手段３に送信する。その信号を受けて選局手段３は、受信手段１から送られてくる映像音響信号２０１の選局を行なう。そして、選局手段３は選局された信号をデータ２０２として出力手段４に送る。
【０００９】
また、入力手段４から入力された音量や画質のボリューム制御に関する情報をデータ２０４として出力手段４におくる。これを受けて出力手段４は選局手段３より信号２０２として送られてくる映像音響信号の出力制御を行なう。この一連の操作によりチャンネルの選択が行なわれる。そして、ユーザは見たい番組に到達するまで、チャンネルの選択を繰り返す。また、聞きたい音量になるまでボリュームの調節を行なう。
【００１０】
また、従来のＶＴＲ録画再生機付きテレビジョン受像機を例にとった場合、次のような構成をしている。
【００１１】
従来のＶＴＲ録画再生機能付きテレビジョン受像機は、例えば図４に示すような構成をしている。１はＶＴＲ録画再生機能付きテレビジョン受像機、２はテレビジョン映像音響信号を受信する受信手段、３は受信手段２より受信した信号の選局を行なう選局手段、５は録画に関する情報や再生に関する情報もしくは選局に関する情報を入力する共に録画タイマーの計測を行なう入力手段、１０は選局手段３から選局された信号を録画する録画手段、４は録画された映像音響信号もしくは選局された映像音響信号を出力する出力手段、４０１から４０６は制御信号、コマンド、データ等を示す信号線であって、以下の動作により、番組選択及び番組録画を行なっている。
【００１２】
まず入力手段５より録画チャンネル番号と録画時間が入力されると、入力手段４は現在時間と録画時間を比較し、差がある場合はタイマーをかけ録画時間になるまで録画するのを待つ。録画時間になると録画したいチャンネルに選局するため、制御信号４０４を選局手段３に送信する。その信号を受けて選局手段３は、受信手段２から送られてくる映像音響信号４０１の選局を行なう。そして、選局手段３は選局された信号をデータ４０６として録画手段１０に送る。また、入力手段５は、録画チャンネルへの選局コマンドを制御信号４０４で選局手段３に送信すると共に、録画コマンドをコマンド４０３として録画手段１０に送る。これを受けて、録画手段１０は映像音響信号を録画する。
【００１３】
また、入力手段５より再生コマンドが入力されると入力手段４は制御信号４０３を録画手段１０に送信する。その信号を受けて録画手段１０は、録画手段１０の中に格納されている映像音響信号をデータ４０５として出力手段４に送る。
【００１４】
また、Ｇコードを利用した録画及び録画予約では、入力手段５から入力された番組に対応したＧコードを解析し録画時間と録画チャンネルを得て、以下同様の処理を行なう。
【００１５】
以上のようにユーザは録画したい番組のチャンネル番号と録画時間、またはそれに対応するＧコードを毎回指定する必要がある。
【００１６】
また、従来の文字放送対応型テレビジョン受像機は、例えば図６に示すような構成をしている。図６において、２はテレビジョン映像音響信号を受信する受信手段、３は受信手段２より受信した信号の選局を行なう選局手段、４は選局手段３により選局された情報もしくは制御手段６から提示された情報を出力する出力手段、５は選局に関する情報を入力する入力手段、６は入力手段５により入力された情報と番組情報格納手段８に格納されている情報を受けて番組情報の提示処理もしくは番組情報の格納制御を行なう制御手段、８は文字情報抽出手段９により抽出された情報と入力手段５により入力された情報を格納する番組情報格納手段、９は選局手段３により選局された情報の中から文字情報を抽出する文字情報抽出手段、６０１から６１０は制御信号、コマンド、データ等を示す信号線であって、以下の動作により、番組選択を行なっている。
【００１７】
まず入力手段５より番組表の提示コマンドが入力されると入力手段５は制御信号６０３を制御手段６に送信する。そのコマンドを受けて制御手段６は、番組情報格納手段８に格納してある番組情報６０６を制御信号６０８で取り出し、その情報を文字列に変換してデータ６０４として出力手段４に出力する。次に、入力手段５から選局したい番組に対応した座標位置データ６０３が入力されると制御手段６は番組情報格納手段８に格納してある番組情報を制御信号６０８とデータ６０６で参照し、その座標位置に対応したチャンネル番号に変換する。
【００１８】
制御手段６は変換されたチャンネル番号を制御信号６０５として選局手段３に送信し、これを受けた選局手段３は受信手段１から送られてくる映像音響信号６０１の選局を行なう。そして、選局手段３は選局された信号をデータ６０２として出力手段４に送り、出力手段４は選局手段３より信号６０２として送られてくる映像音響信号の出力の制御を行なう。
【００１９】
また、制御手段６は受信手段２から送られてくる映像音響信号の中から文字情報を抽出するタイミングを制御するため、一定時間が経過すると制御信号６０５、６０７を選曲手段３と文字情報抽出手段９に送信し、これを受けて選局手段は映像音響信号をデータ６０９で文字情報抽出手段９に送信し、文字情報抽出手段９は送信された映像音響信号の中から文字情報を抽出してデータ６１０として番組情報格納手段８に格納する。この一連の操作によりチャンネルの選択が行なわれる。ユーザは見たい番組に到達するまで、チャンネルの選択を繰り返す。
【００２０】
【発明が解決しようとする課題】
しかしながら、上記従来のテレビジョン受像機及びＶＴＲ録画機では、番組選択や番組録画を行なう場合、チャンネル番号や番組コードの指定、または録画位置を示すコード番号と番組内容や録画内容との対応が取り難く、非常に操作性が悪い。
【００２１】
また、文字放送で番組表が送られてきても、現在の技術では文字による番組表の表示画面は非常に読み辛い。さらに、文字や漢字が読めない子供たちや、日本に滞在する外国人にとってはあまりメリットがない。
【００２２】
さらに、地上波放送、衛星放送、文字放送及びケーブルＴＶなどの多チャンネル化と、ＶＴＲ，ＣＤ−Ｉ、ＬＤなどの多メディア化が進んでいるが統一した操作性はなく、非常に使い難い。
【００２３】
本発明は上記の点に鑑み、テレビジョン映像音響信号の中から番組の一部を番組識別画像として抽出する手段を設けることにより、番組選択や映像音響機器の制御が簡単かつ統一した操作で行えるテレビジョン受像機を提供することを目的とする。
【００２４】
【課題を解決するための手段】
本願発明は映像音響信号を含む第１の放送と、文字に変換し表示するための文字情報を含む第２の放送とを受信し、さらに、第１の放送の録画予約機能を有する受信装置であって、放送された映像信号から番組識別画像を抽出する第１の抽出手段と、第１の放送番組の開始時刻と終了時刻に関する情報を、第２の放送内容から抽出する第２の抽出手段と、前記放送番組に関し、抽出された前記番組識別画像と、前記開始時刻、前記終了時刻とを関連付けて格納する番組情報格納手段と、前記番組識別画像を表示するために出力する出力手段と、前記出力手段が出力した前記番組識別画像を選択するための入力手段と、前記入力手段を用いて選択された番組の受信を、抽出された開始時刻、終了時刻とを用いて予約する予約手段とを有することを特徴とする受信装置に関するものである。
【００２５】
また、映像音響信号と、文字に変換し表示するための文字情報とを含む放送を受信する受信装置において、文字情報を含む番組を選局する選局装置であって、前記文字情報を含む番組のための番組識別画像を、前記映像音響信号から抽出する抽出手段と、抽出された前記番組識別画像を表示するために出力する出力手段と、前記出力手段が出力した前記番組識別画像を選択するための入力手段と、前記入力手段を用いて選択された前記番組識別画像に対応する前記文字情報を含む番組を選局する選局手段とを有する選局装置を含む受信装置に関するものである。
【００２８】
【作用】
本発明の構成により、番組予約を番組識別画像の選択にて直感的に行え、また番組情報の精度をあげることができる。
【００２９】
また、本発明の構成により、文字情報を含む放送の選局を番組識別画像を利用して行える。
【００３２】
【実施例】
（第１実施例）
以下、本発明の第１実施例として、テレビジョン映像音響信号の中から番組の一部を番組識別画像として抽出する手段を内部的に有するテレビジョン受像機を図１に基づいて説明する。
【００３３】
図１はテレビジョン受像機の構成を示すブロック図である。図１において、１はテレビジョン受像機である。２はテレビジョン映像音響信号を受信する受信手段である。この受信手段２には、例えばテレビ地上波アンテナやパラボラアンテナが接続される。３は受信手段２より受信した信号の選局を行なう選局手段で、例えばチュナーやＢＳチューナがこれにあたる。
【００３４】
４は選局手段３により選局された情報もしくは制御手段６から提示された情報を出力する出力手段であり、例えば、テレビモニターがこれにあたる。５は選局に関する情報や出力に関する情報を入力する入力手段である。この入力手段５には、例えば、リモコン、十字パッドやマウスなどが接続されている。
【００３５】
６は入力手段５により入力された情報と番組情報格納手段８に格納されている情報を受けて番組情報の提示処理もしくは選局もしくは番組情報の格納制御もしくは番組識別画像抽出手段７から番組識別画像を抽出するタイミングを制御する制御手段である。
【００３６】
７は選局手段３により選局された情報の中から番組の一部を番組識別画像として抽出する番組識別画像抽出手段である。８は番組識別画像抽出手段７により抽出された情報と制御手段６により処理された情報を格納する番組情報格納手段である。
【００３７】
１０１から１１０は制御データ、コマンド、データ等の経路を示す。ただし、上記各名称は、便宜上、伝達される主な内容を示したもので、実際には、この名称に係らず、状況に応じて種々の内容が伝達される。
【００３８】
上記の構成において、例えば以下のようにして番組識別画像を利用した番組選択が行われる。まず、入力手段５から選局のためのチャンネル番号が選択されると、入力手段５はその番号をデータ１０３として制御手段６に渡す。これを受けて制御手段６は制御信号１０５を選局手段３に送信する。その信号を受けて選局手段３は、受信手段２から送られてくる映像音響信号１０１の選局を行なう。
【００３９】
選局手段３は選局された信号をデータ１０２として出力手段４に送る。また、制御手段６は入力手段５から入力された音量や画質のボリューム制御に関する情報を出力手段４にデータ１０４として送る。これを受けて出力手段４は選局手段３より信号１０２として送られてくる映像音響信号の出力の制御を行なう。
【００４０】
また、入力手段５から番組識別画像抽出のためのコマンドが入力されると、入力手段５はそのコマンドをコマンド１０３として制御手段６に送信する。これを受けて制御手段６は選局手段３に番組識別画像抽出手段７に対してテレビジョン映像音響信号を送ることを要請するためのコマンド１０５を送信し、コマンドを受けとった選局手段３は、番組画像識別手段７にデータ１０６としてテレビジョン映像音響信号を送信する。
【００４１】
次に、制御手段６は、番組識別画像を抽出するタイミングを制御する制御信号１０７を番組識別画像抽出手段７に送信し、これを受けて番組画像抽出手段７は選局手段３より送られてくる映像音響信号１０６の中から番組識別画像を抽出し、抽出した番組識別画像をデータ１０８として番組情報格納手段８に格納する。さらに、制御手段６は、抽出された番組識別画像による選局が可能と成るよう番組情報を組み立てる。
【００４２】
例えば、制御手段６によって組み立てられる番組情報は次のようなデータ構造をしている。
0003551450.tif 000002
例えば、番組識別画像抽出手段７により抽出された画像１に対応した番組情報は制御手段６で番組情報テ゛ータ１として組み立てられ、データ１１０として番組情報格納手段８に送られ格納される。
以下同様の操作でテ゛ータ２からテ゛ータ６が作成される。
【００４３】
次に、入力手段５より番組情報による選局方式の指定がコマンド１０３として制御手段６に送られると、制御手段６は番組識別画像を取り出すためのコマンドを番組情報格納手段８にコマンド１１０として送信し、これを受けて番組情報格納手段８は番組情報テ゛ータ１からテ゛ータ６をデータ１０９として制御手段６に送信する。制御手段６は送信されたデータの中から番組識別画像を取り出し、画像データと描画位置に関する情報を出力手段４にデータ１０４として送信する。送信された出力手段４は指定された位置に画像データを描画する。
【００４４】
また、制御手段６は識別画像とその描画位置に関するデータを作成する。
0003551450.tif 000003
次に、入力手段５から、選局したい番組の識別画像に対応した座標位置がデータ１０３として制御手段６に渡されると、制御手段６は、座標データを解析し、そのデータにいちばん近いデータｉｄを取り出す。例えば、テ゛ータ１２が取り出されると、制御手段６は、テ゛ータ１からテ゛ータ６の中から識別画像として画像２を持つテ゛ータ２を検索する。制御手段６は検索されたテ゛ータ２のチャンネル番号を取り出し、抽出時間を調べ、現時刻との差が誤差範囲であれば選局手段３に制御信号１０５を送り、チャンネルの変更をする。また、誤差範囲でなければ、制御手段６の内部タイマーに起動をかけ、指定時刻になるまで選局を行なうのを待ち、指定時刻になると、制御手段６は、出力手段４にチャンネルを変更するか否かの選択要請メッセージを出力する。
【００４５】
実際に識別画像によるチャンネル選択が行なわれると、それに対応したデータｉｄの参照回数の数値が１つ増加する。例えば、テ゛ータ２が実際に利用するとテ゛ータ２の参照回数が次のようにインクリメントされる。
0003551450.tif 000004
また、制御手段６は、番組情報格納手段８に格納されているデータ数が格納される限界個数をこえると制御信号１１０を番組情報格納手段８に送り、これを受けて番組情報格納手段８は参照回数の少ないデータを消去する。消去する番組識別画像の特定を入力手段５からデータ１０３として行なう場合もある。
【００４６】
なお、上記の例では説明の簡単のために番組識別画像の抽出は対話的に行い、その他の番組情報の作成は自動的に行なっているが、番組情報の精度をあげるため、テ゛ータ１からテ゛ータ６の番組情報のデータ構造に加えて放送開始時間と放送終了時間を設け、その情報を入力手段５から対話的に入力する場合もあるし、文字放送を利用して自動的に入手するなどいろいろな方法が考えられる。
【００４７】
この一連の操作によりチャンネルの選択が行なわれる。そして、ユーザは見たい番組の指定をチャンネル番号や番組コードで指定するのではなく、見たい番組に対応した番組識別画像による内容指示方式で指定する。
【００４８】
（第２実施例）
以下、本発明の第２実施例として、テレビジョン映像音響信号の中から番組の一部を番組識別画像として抽出する手段を内部的に有する録画機能付きテレビジョン受像機を図３に基づいて説明する。
【００４９】
図３はテレビジョン受像機の構成を示すブロック図である。図３において、１はテレビジョン受像機である。２はテレビジョン映像音響信号を受信する受信手段である。この受信手段２には、例えばテレビ地上波アンテナやパラボラアンテナが接続される。３は受信手段２より受信した信号の選局を行なう選局手段で、例えばチュナーやＢＳチューナがこれにあたる。
【００５０】
４は選局手段３により選局された情報もしくは制御手段６から提示された情報もしくは録画された情報を出力する出力手段４であり、例えば、テレビモニターがこれにあたる。５は選局に関する情報もしくは録画に関する情報を入力する入力手段である。この入力手段５には、例えばリモコン、十字パッドやマウスなどが接続されている。
【００５１】
６は入力手段５により入力された情報と番組情報格納手段８に格納されている情報を受けて番組情報の提示処理もしくは選局もしくは番組情報の格納制御もしくは番組識別画像抽出手段７から番組識別画像を抽出するタイミング及び録画するタイミングを制御する制御手段である。
【００５２】
７は選局手段３により選局された情報もしくは録画手段１０により録画された情報の中から番組の一部を番組識別画像として抽出する番組識別画像抽出手段である。８は番組識別画像抽出手段７により抽出された情報と制御手段６により処理された情報を格納する番組情報格納手段である。１０は、選局手段３により選局された情報を録画する録画手段１０でビデオ録画機及び再生機がこれにあたる。
【００５３】
３０１から３１４は制御データ、コマンド、データ等の経路を示す。ただし、上記各名称は、便宜上、伝達される主な内容を示したもので、実際には、この名称に係らず、状況に応じて種々の内容が伝達される。
【００５４】
上記の構成において、例えば以下のようにして番組識別画像を利用した番組録画が行われる。まず、入力手段５から録画のためのチャンネル番号や録画時間もしくはＧコードが入力されると、入力手段５はデータ３０３として制御手段６に送信する。これを受けて制御手段６は制御信号３０５を選局手段３に送信する。その信号を受けて選局手段３は、受信手段２から送られてくる映像音響信号３０１の選局を行なう。
【００５５】
選局手段３は選局された信号をデータ３１４として録画手段１０に送る。これを受けて録画手段１０はデータ３１４を録画する。また、制御手段６は、データ３０３で入力された録画時間が現時刻と異なっていれば、制御手段６の内部タイマーに起動をかけ、指定時刻になった時点でこの一連の処理を行なう。
【００５６】
また、入力手段５から番組識別画像抽出のためのコマンドが入力されると、入力手段５はそのコマンドをコマンド３０３として制御手段６に送信する。これを受けて制御手段６は選局手段３もしくは録画手段１０に、番組識別画像抽出手段７に対してテレビジョン映像音響信号を送ることを要請するためのコマンド３０５もしくは３１２を送信し、コマンドを受けとった選局手段３もしくは録画手段１０は、番組画像識別手段７にデータ３０６もしくはデータ３１１のテレビジョン映像音響信号を送信する。
【００５７】
次に、制御手段６は、番組識別画像を抽出するタイミングを制御する制御信号３０７を番組識別画像抽出手段７に送信し、これを受けて番組画像抽出手段７は選局手段３もしくは録画手段１０から送られてくる映像音響信号３０６もしくは映像音響信号３１１の中から番組識別画像を抽出する。抽出された番組識別画像は、データ３０８として番組情報格納手段８に格納される。さらに、制御手段６は、抽出された番組識別画像による録画が可能と成るように番組情報を組み立てる。
【００５８】
例えば、制御手段６によって組み立てられる番組情報は次のようなデータ構造をしている。
0003551450.tif 000005
例えば、番組識別画像抽出手段７により抽出された画像１に対応した番組情報は制御手段６で番組情報テ゛ータ２１として組み立てられ、データ３１０として番組情報格納手段８に送られ格納される。
【００５９】
以下同様の操作でテ゛ータ２２からテ゛ータ２６が自動的に作成される。さらに制御手段６は、録画時間の入力要請をデータ３０４で出力手段４に送り、ユーザからの入力を待つ。録画時間が入力手段５よりデータ３０３として入力されると、制御手段６は番組情報のデータ構造の中に抽出された番組識別画像に対応した録画時間を登録する。
【００６０】
例えば、テ゛ータ２１からテ゛ータ２６の内容は次のようになる。
0003551450.tif 000006
次に、入力手段５より番組情報による録画方式の指定がコマンド３０３として制御手段６に送られると、制御手段６は番組識別画像を取り出すためのコマンドを番組情報格納手段８にコマンド３１０として送信し、これを受けた番組情報格納手段８は番組情報テ゛ータ２１からテ゛ータ２６をデータ３０９として制御手段６に送信する。制御手段６は送信されたデータの中から番組識別画像を取り出し、画像データと描画位置を出力手段４にデータ３０４として送信する。送信された出力手段４は指定された位置に画像データを描画する。
【００６１】
また、制御手段６は識別画像とその描画位置に関するデータを作成する。
0003551450.tif 000007
次に、入力手段５から、録画したい番組の識別画像に対応した座標位置がデータ３０３として制御手段６に渡されると、制御手段６は、座標データを解析し、そのデータに一番近いデータｉｄを取り出す。例えば、テ゛ータ３２が取り出されると、制御手段６は、テ゛ータ２１からテ゛ータ２６の中から識別画像として画像２を持つテ゛ータ２２を検索する。検索されたテ゛ータ２２のチャンネル番号と録画開始時間と録画終了時間を取り出し、現時刻との差が誤差範囲であれば選局手段３に制御信号３０５を送り、これを受けて選局手段３は選局を行い映像音響信号３１４を録画手段１０に送信する。これを受けて録画手段１０はデータ３１４を録画する。また、録画時刻と現在時刻との差が誤差範囲でなければ、制御手段６の内部タイマーに起動をかけ、指定時刻になるまで録画を行なうのを待ち、指定時刻になると、制御手段６は、この一連の録画に関する処理を行なう。そして、実際の録画処理が行なわれると、制御手段６はそれに対応したデータｉｄの参照回数の数値が１つ増加する。
【００６２】
例えば、テ゛ータ２２の参照回数が次のようにインクリメントされる。
0003551450.tif 000008
また、制御手段６は、番組情報格納手段８に格納されているデータ数が格納される限界個数をこえると制御信号３１０を番組情報格納手段８に送り、これを受けて番組情報格納手段８は参照回数の少ないデータを消去する。消去する番組識別画像の特定を入力手段５からデータ３０３として行なう場合もある。
【００６３】
なお、上記の例では説明の簡単のために番組識別画像の抽出と録画開始及び終了時刻の指定は対話的に行い、その他の番組情報の作成は自動的に行なっているが、文字放送を利用して録画チャンネルと録画時刻を自動的に入手するなどいろいろな方法が考えられる。
【００６４】
また、この機構を利用して、留守録された複数の番組情報の一覧表示及び番組識別画像による検索再生も行なうことができる。例えば、テ゛ータ２１からテ゛ータ２６のデータ構造に、ビデオテープ内の位置（例えばＶＩＳ，ＶＡＳコード）の情報を追加し、その位置情報をデータ３１２として録画手段１０に送信し、送信されたデータをもとに、録画手段１０は指定のテープ位置となるまでテープを回転した後、データ３１３として出力手段４に送り再生を開始する。
【００６５】
この一連の操作により番組の録画及び再生が行なわれる。そして、ユーザは見たい番組や録画したい番組の指定をチャンネル番号や番組コードで指定するのではなく、見たい番組や録画したい番組に対応した番組識別画像による内容指示方式で指定する。
【００６６】
（第３実施例）
以下、本発明の第３実施例として、テレビジョン映像音響信号の中から番組の一部を番組識別画像として抽出する手段を内部的に有する文字放送対応型テレビジョン受像機を図５に基づいて説明する。
【００６７】
図５はテレビジョン受像機の構成を示すブロック図である。図５において、１はテレビジョン受像機である。２はテレビジョン映像音響信号を受信する受信手段である。この受信手段２には、例えばテレビ地上波アンテナやパラボラアンテナが接続される。３は受信手段２より受信した信号の選局を行なう選局手段で、例えばチュナーやＢＳチューナがこれにあたる。
【００６８】
４は選局手段３により選局された情報もしくは制御手段６から提示された情報を出力する出力手段であり、例えば、テレビモニターがこれにあたる。５は選局に関する情報や出力に関する情報を入力する入力手段である。この入力手段５には、例えばリモコン、十字パッドやマウスなどが接続されている。
【００６９】
６は入力手段５により入力された情報と番組情報格納手段８に格納されている情報を受けて番組情報の提示処理もしくは選局もしくは番組情報の格納制御もしくは番組識別画像抽出手段７から番組識別画像を抽出するタイミングを制御する制御手段である。
【００７０】
７は選局手段３により選局された情報の中から番組の一部を番組識別画像として抽出する番組識別画像抽出手段とである。８は番組識別画像抽出手段７により抽出された情報と文字情報抽出手段９により抽出された情報と入力手段５により入力された情報を格納する番組情報格納手段である。
【００７１】
９は選局手段３により選局された情報の中から文字情報を抽出する文字情報抽出手段である。５０１から５１４は制御データ、コマンド、データ等の経路を示す。ただし、上記各名称は、便宜上、伝達される主な内容を示したもので、実際には、この名称に係らず、状況に応じて種々の内容が伝達される。
【００７２】
上記の構成において、例えば以下のようにして番組識別画像を利用した番組選択が行われる。まず、入力手段５から選局のためのチャンネル番号が選択されると、入力手段５はその番号をデータ５０３として制御手段６に渡す。これを受けて制御手段６は制御信号５０５を選局手段３に送信する。その信号を受けて選局手段３は、受信手段２から送られてくる映像音響信号５０１の選局を行なう。選局手段３は選局された信号をデータ５０２として出力手段４に送る。
【００７３】
また、入力手段５から文字放送の選局コマンドがデータ５０３として制御手段６に渡されると、これを受けて制御手段６は文字情報抽出手段９に文字情報を抽出するための制御信号５１４を送るとともに、選局手段３に対してコマンド５０５を送る。これを受けて選局手段３は文字情報抽出手段９に映像音響信号５１１を送信する。データを送信された文字情報抽出手段９は映像音響信号５１１の中から文字情報を抽出する処理を行なう。
【００７４】
処理が完了すると文字情報抽出手段９は完了通知信号と抽出されたデータをデータ５１３として制御手段６に送る。これを受けて制御手段６は文字を表示するための文字合成処理を行い、その結果をデータ５０４で出力手段４に出力する。
【００７５】
次に、入力手段５から番組識別画像抽出のためのコマンドが入力されると、入力手段５はそのコマンドをコマンド５０３として制御手段６に送信する。これを受けて制御手段６は選局手段３に番組識別画像抽出手段７に対してテレビジョン映像音響信号を送ることを要請するためのコマンド５０５を送信し、コマンドを受けとった選局手段３は、番組画像識別手段７にデータ５０６としてテレビジョン映像音響信号を送信する。
【００７６】
次に制御手段６は、番組識別画像を抽出するタイミングを制御する制御信号５０７を番組識別画像抽出手段７に送信し、これを受けて番組画像抽出手段７は選局手段３より送られてくる映像音響信号５０６の中から番組識別画像を抽出し、抽出された番組識別画像をデータ５０８として番組情報格納手段８に格納する。さらに、制御手段６は、抽出された番組識別画像による選局が可能と成るよう番組情報を組み立てる。
【００７７】
例えば、制御手段６によって組み立てられる番組情報は次のようなデータ構造をしている。
0003551450.tif 000009
例えば、番組識別画像抽出手段７により抽出された画像１に対応した番組情報は制御手段６で番組情報テ゛ータ４１として組み立てられ、データ５１０として番組情報格納手段８に送られ格納される。
【００７８】
以下同様の操作でテ゛ータ４２からテ゛ータ４６が自動的に作成される。
次に、入力手段５より番組情報による選局方式の指定がコマンド５０３として制御手段６に送られると、制御手段６は番組識別画像を取り出すためのコマンドを番組情報格納手段８にコマンド５１０として送信し、これを受けて番組情報格納手段８は番組情報テ゛ータ４１からテ゛ータ４６をデータ５０９として制御手段６に送信する。制御手段６は送信されたデータの中から番組識別画像を取り出し、画像データと描画位置を出力手段４にデータ５０４として送信する。これを受けて、出力手段４は指定された位置に画像データを描画する。
【００７９】
また、制御手段６は識別画像とその描画位置に関するデータを作成する。
0003551450.tif 000010
次に、入力手段５から、選局したい番組の識別画像に対応した座標位置がデータ５０３として制御手段６に渡されると、制御手段６は、座標データを解析し、そのデータに一番近いデータｉｄを取り出す。例えば、テ゛ータ５２が取り出されると、制御手段６は、テ゛ータ４１からテ゛ータ４６の中から識別画像として画像２を持つテ゛ータ４２を検索する。検索されたテ゛ータ４２のチャンネル番号を取り出し、抽出時間を調べ、現時刻との差が誤差範囲であれば選局手段３に制御信号５０５を送り、チャンネルの変更をする。また、誤差範囲でなければ、制御手段６の内部タイマーに起動をかけ、指定時刻になるまで選局を行なうのを待ち、指定時刻になると、制御手段６は、出力手段４にチャンネルを変更するか否かの選択要請メッセージを出力する。
【００８０】
実際に識別画像によるチャンネル選択がされると、それに対応したデータｉｄの参照回数の数値が１つ増加する。
【００８１】
例えば、テ゛ータ４２の参照回数が次のようにインクリメントされる。
0003551450.tif 000011
また、制御手段６は、番組情報格納手段８に格納されているデータ数が格納される限界個数をこえると制御信号５１０を番組情報格納手段８に送り、これを受けて番組情報格納手段８は参照回数の少ないデータを消去する。消去する番組識別画像の特定を入力手段５からデータ５０３として行なう場合もある。
【００８２】
なお、上記の例では説明の簡単のために番組識別画像の抽出は対話的に行い、その他の番組情報の作成は自動的に行なっているが、番組情報の精度をあげるため、テ゛ータ４１からテ゛ータ４６の番組情報のデータ構造に加えて放送開始時間と放送終了時間を設け、その情報を入力手段５から対話的に入力する場合もあるし、文字放送を利用して自動的に入手するなどいろいろな方法が考えられる。。
【００８３】
この一連の操作によりチャンネルの選択が行なわれる。そして、ユーザは見たい番組の指定をチャンネル番号や番組コードで指定するのではなく、番組に対応した番組識別画像による内容指示方式で指定する。
【００８４】
（第４実施例）
以下、本発明の第４実施例として、テレビジョン映像音響信号の中から番組の一部を番組識別画像として抽出する手段を内部的に有する文字放送対応型録画機能付きテレビジョン受像機を図７に基づいて説明する。
【００８５】
図７はテレビジョン受像機の構成を示すブロック図である。図７において、１はテレビジョン受像機である。２はテレビジョン映像音響信号を受信する受信手段である。この受信手段２には、例えばテレビ地上波アンテナやパラボラアンテナが接続される。３は受信手段２より受信した信号の選局を行なう選局手段で、例えばチュナーやＢＳチューナがこれにあたる。
【００８６】
４は選局手段３により選局された情報もしくは制御手段６から提示された情報もしくは録画手段１０により録画された情報を出力する出力手段であり、例えばテレビモニターがこれにあたる。５は選局に関する情報や出力に関する情報を入力する入力手段である。この入力手段５には、例えばリモコン、十字パッドやマウスなどが接続されている。
【００８７】
６は入力手段５により入力された情報と番組情報格納手段８に格納されている情報を受けて番組情報の提示処理もしくは選局もしくは番組情報の格納制御もしくは番組識別画像抽出手段７から番組識別画像を抽出するタイミング及び録画するタイミングを制御する制御手段である。
【００８８】
７は選局手段３により選局された情報もしくは録画手段１０により録画された情報の中から番組の一部を番組識別画像として抽出する番組識別画像抽出手段である。８は番組識別画像抽出手段７により抽出された情報と文字情報抽出手段９により抽出された情報と入力手段５により入力された情報を格納する番組情報格納手段である。
【００８９】
９は選局手段３により選局された情報の中から文字情報を抽出する文字情報抽出手段である。１０は、選局手段３により選局された情報を録画する録画手段でビデオ録画機及び再生機がこれにあたる。
【００９０】
７０１から７１８は制御データ、コマンド、データ等の経路を示す。ただし、上記各名称は、便宜上、伝達される主な内容を示したもので、実際には、この名称に係らず、状況に応じて種々の内容が伝達される。
【００９１】
上記の構成において、例えば以下のようにして番組識別画像を利用した番組選択及び番組録画が行われる。まず入力手段５から選局のためのチャンネル番号が選択されると、入力手段５はその番号をデータ７０３として制御手段６に渡す。これを受けて制御手段６は制御信号７０５を選局手段３に送信する。その信号を受けて選局手段３は、受信手段２から送られてくる映像音響信号７０１の選局を行なう。選局手段３は選局された信号をデータ７０２として出力手段４に送る。
【００９２】
また、入力手段５から文字放送の選局がデータ７０３で制御手段６に渡されると、これを受けて制御手段６は文字情報抽出手段９に文字情報を抽出するための制御信号７１７を送るとともに、選局手段３に対してコマンド７０５を送る。これを受けて選局手段３は文字情報抽出手段９に映像音響信号７１５を送信する。データを送信された文字情報抽出手段９は映像音響信号の中から文字情報を取り出す処理を行なう。
【００９３】
処理が完了すると文字情報抽出手段９は完了通知信号と取り出されたデータをデータ７１８として制御手段６に送る。これを受けて制御手段６は文字を表示するための文字合成処理を行い、その結果をデータ７０４として出力手段４に出力する。
【００９４】
また、入力手段５から録画のためのチャンネル番号や録画時間もしくはＧコードが入力されると、入力手段５はデータ７０３として制御手段６に送信する。これを受けて制御手段６は制御信号７０５を選局手段３に送信する。その信号を受けて選局手段３は、受信手段２から送られてくる映像音響信号７０１の選局を行なう。そして、選局手段３は選局された信号をデータ７１４として録画手段１０に送る。これを受けて録画手段１０はデータ７１４を録画する。
【００９５】
また、制御手段６は、データ７０３で入力された録画時間が現時刻と異なっていれば、制御手段６の内部タイマーに起動をかけ、指定時刻になった時点でこの一連の処理を行なう。
【００９６】
また、入力手段５から番組識別画像抽出のためのコマンドが入力されると、入力手段５はそのコマンドをコマンド７０３として制御手段６に送信する。これを受けて制御手段６は選局手段３もしくは録画手段１０に番組識別画像抽出手段７に対してテレビジョン映像音響信号を送ることを要請するためのコマンド７０５もしくは７１２を送信し、コマンドを受けとった選局手段３もしくは録画手段１０は、番組画像識別手段７にデータ７０６もしくはデータ７１１としてテレビジョン映像音響信号を送信する。
【００９７】
次に、制御手段６は、番組識別画像を抽出するタイミングを制御する制御信号７０７を番組識別画像抽出手段７に送信し、これを受けて番組画像抽出手段７は選局手段３もしくは録画手段１０より送られてくる映像音響信号７０６もしくは映像音響信号７１１の中から番組識別画像を抽出し、抽出された番組識別画像はデータ７０８として番組情報格納手段８に格納される。さらに、制御手段６は、抽出された番組識別画像による選局及び録画が可能と成るよう番組情報を組み立てる。
【００９８】
例えば、制御手段６によって組み立てられる番組情報は次のようなデータ構造をしている。
0003551450.tif 000012
例えば、番組識別画像抽出手段７により抽出された画像１に対応した番組情報は制御手段６で番組情報テ゛ータ６１として組み立てられ、データ７１０として番組情報格納手段８に送られ格納される。
【００９９】
以下同様の操作でテ゛ータ６２からテ゛ータ６６が作成される。
次に、入力手段５より番組情報による選局及び録画方式の指定がコマンド７０３として制御手段に送られると、制御手段６は番組識別画像を取り出すためのコマンドを番組情報格納手段８にコマンド７１０として送信し、これを受けて番組情報格納手段８は番組情報テ゛ータ６１からテ゛ータ６６をデータ７０９として制御手段６に送信する。制御手段６は送信されたデータの中から番組識別画像を取り出し、画像データと描画位置を出力手段４にデータ７０４として送信する。送信された出力手段４は指定された位置に画像データを描画する。
【０１００】
また、制御手段６は識別画像とその描画位置に関するデータを作成する。
0003551450.tif 000013
次に、入力手段５から、選局もしくは録画したい番組の識別画像に対応した座標位置がデータ７０３として制御手段６に渡されると、制御手段６は、座標データを解析し、そのデータに一番近いデータｉｄを取り出す。例えば、テ゛ータ７２が取り出されると、制御手段６は、テ゛ータ６１からテ゛ータ６６の中から識別画像として画像２を持つテ゛ータ６２を検索する。検索されたテ゛ータ６２のチャンネル番号を取り出し、抽出時間を調べ、現時刻との差が誤差範囲であれば選局手段３に制御信号７０５を送り、チャンネルの変更をする。また、誤差範囲でなければ、制御手段６の内部タイマーに起動をかけ、指定時刻になるまで選局もしくは録画を行なうのを待ち、指定時刻になると、制御手段６は、出力手段４にチャンネルを変更するか否かの選択要請メッセージの出力を行なったり録画を開始する。
【０１０１】
実際に識別画像によるチャンネル選択や録画が実行されると、それに対応したデータｉｄの参照回数の数値が１つ増加する。
【０１０２】
例えば、テ゛ータ６２の参照回数が次のようにインクリメントされる。
0003551450.tif 000014
また、制御手段６は、番組情報格納手段８に格納されているデータ数が格納される限界個数をこえると制御信号７１０を番組情報格納手段８に送り、これを受けて番組情報格納手段８は参照回数の少ないデータを消去する。消去する番組識別画像の特定を入力手段５からデータ７０３として行なう場合もある。
【０１０３】
なお、上記の例では説明の簡単のために番組識別画像の抽出は対話的に行い、その他の番組情報の作成は自動的に行なっているが、番組情報の精度をあげるため、テ゛ータ６１からテ゛ータ６６の番組情報のデータ構造に加えて放送開始時間と放送終了時間を設け、その情報を入力手段５から対話的に入力する場合もあるし、文字放送を利用して自動的に入手するなどいろいろな方法が考えられる。
【０１０４】
この一連の操作によりチャンネルの選択や録画が行なわれる。そして、ユーザは見たい番組の指定をチャンネル番号や番組コードで指定するのではなく、番組に対応した番組識別画像による内容指示方式で指定する。
【０１０６】
以上のように、テレビジョン映像音響信号の中から番組の一部を番組識別画像として抽出する手段を設けることにより、番組選択や映像音響機器の制御が簡単かつ統一的な操作で行えるテレビジョン受像機及び映像音響機器が提供できる。
【０１０７】
【発明の効果】
以上説明したように、本発明によれば、放送開始時間と放送終了時間を含む番組情報の精度をあげることができる。
【０１０８】
また、文字情報を含む放送の選局を番組識別画像を利用して行える。
【図面の簡単な説明】
【図１】本発明の第１実施例におけるテレビジョン受像機の構成を示すブロック図
【図２】従来のテレビジョン受像機のブロック図
【図３】第２実施例のＶＴＲ録画機能付きテレビジョン受像機の構成を示すブロック図
【図４】従来のＶＴＲ録画機能付きテレビジョン受像機の構成を示すブロック図
【図５】第３実施例の文字放送対応型テレビジョン受像機の構成を示すブロック図
【図６】従来の文字放送対応型テレビジョン受像機の構成を示すブロック図
【図７】第４実施例の文字放送対応型ＶＴＲ録画機能付きテレビジョン受像機の構成を示すブロック図
【符号の説明】
１  テレビジョン受像機
２  受信手段
３  選局手段
４  出力手段
５  入力手段
６  制御手段
７  番組識別画像抽出手段
８  番組情報格納手段
９  文字情報抽出手段
１０  録画手段
【図１】
0003551450.tif 000015
【図２】
0003551450.tif 000016
【図３】
0003551450.tif 000017
【図４】
0003551450.tif 000018
【図５】
0003551450.tif 000019
【図６】
0003551450.tif 000020
【図７】
0003551450.tif 000021